(57)【要約】【課題】隣室居住者がベランダ越しに隣りのベランダ空間や居住空間を見通すことを防止して、隣室同士の居住者のプライバシーを保護する、ベランダ用目隠し装置を提供する。【解決手段】集合住宅のベランダに、隣室ベランダ空間との隔壁に対してほぼ直交する面を有し、隣室居住者からのベランダ越しの視線を遮る高さと幅の目隠しパネルを取付けて成る。目隠しパネルは、ベランダ空間に対して上下方向に延びる縦フレームと、左右方向に延びる横フレームと、これらのフレームによって囲まれた部分に取付けられるパネル体とから成り、記隔壁を中心として２部屋間のベランダに跨るようにして取付けられている。【選択図】図４
2006265829.tif 000002
【特許請求の範囲】
【請求項１】
集合住宅のベランダに、隣室居住者からのベランダ越しの視線を遮る目隠しパネルを取付けた、
ことを特徴とするベランダ用目隠し装置。
【請求項２】
集合住宅のベランダに、隣室ベランダ空間との隔壁に対してほぼ直交する面を有し、隣室居住者からのベランダ越しの視線を遮る高さと幅の目隠しパネルを取付けた、
ことを特徴とするベランダ用目隠し装置。
【請求項３】
前記目隠しパネルが、各居住者のベランダ空間一側端のベランダに取付けられている、
請求項１もしくは２記載の装置。
【請求項４】
前記目隠しパネルが、各居住者のベランダ空間両側端のベランダに取付けられている、
請求項１もしくは２記載の装置。
【請求項５】
前記目隠しパネルは、ベランダ空間に対して上下方向に延びる縦フレームと、左右方向に延びる横フレームと、これらのフレームによって囲まれた部分に取付けられるパネル体とから成り、
前記隔壁と一体になってＬ字型を形成するようにベランダに取付けられる、
請求項３記載の装置。
【請求項６】
前記目隠しパネルは、ベランダ空間に対して上下方向に延びる縦フレームと、左右方向に延びる横フレームと、これらのフレームによって囲まれた部分に取付けられるパネル体とから成り、
前記隔壁を中心として２部屋間のベランダに跨るようにして取付けられる、
請求項４記載の装置。
【請求項７】
前記縦フレームは、下端部をベランダ床面に固定される一方、上端部をベランダ天井面に固定され、下部所定位置をベランダ手摺りに固定される、
ことを特徴とする請求項５もしくは６記載の装置。
【請求項８】
前記目隠しパネルは、隣室ベランダ空間との隔壁に対してほぼ直交する主パネルと、この主パネルと隔壁前方端面との隙間部を遮蔽する副パネルとから成る、
請求項２記載の装置。
【請求項９】
前記目隠しパネルのパネル体は、通風可能で隣室ベランダ方向への視線を遮蔽するルーバータイプのパネル体である、
請求項１から８のいずれかに記載の装置。
【発明の詳細な説明】
【技術分野】
【０００１】
本発明は、集合住宅における隣室ベランダからの視線を遮蔽するベランダ用目隠し装置に関するものである。
【背景技術】
【０００２】
ベランダの洗濯物などを外部から見えにくくするなどして居住者のプライバシーを保護するベランダ用目隠し装置は、一般に、ベランダの柵部分に目隠し用パネル取付けて成る。
これらの目隠し用パネルは、例えば、柵の隙間を開閉自在に埋めるパネル材（特許文献１参照）や、複数の通孔の配列パターンによって所望の装飾図形が形成された模様パネル（特許文献２参照）などが提案されている。
また、柵の隙間部分だけでなく、柵の上方空間を衝立状に覆う上下方向にスライド自在な目隠しパネル（特許文献３参照）も提案されている。
【０００３】
【特許文献１】登録実用新案第３０８２０９７号公報
【特許文献２】登録実用新案第３０４９０２３号公報
【特許文献２】特許公開２００２−２２７２９３号公報
【発明の開示】
【発明が解決しようとする課題】
【０００４】
しかしながら、上記した従来のベランダ用目隠し装置は、外観装飾性などの見た目の良さや通風性に工夫をこらしてあるものの、いずれも建物外がわからの視線を遮断するためのものである。
このため、上記した目隠し装置の場合、最も近距離に位置する隣室居住者が、ベランダのコーナー部から僅かに顔を突き出すだけで、隣合うベランダ空間のみならず部屋内をも見通すことができる。
【０００５】
本発明の目的は、隣室居住者がベランダ越しに隣りのベランダ空間や居住空間を見通すことを防止して、隣室同士の居住者のプライバシーを保護する、ベランダ用目隠し装置を提供することにある。
【課題を解決するための手段】
【０００６】
上記課題を解決するために、本発明は次の構成を備える。
すなわち、請求項１に係る発明は、集合住宅のベランダに、隣室居住者からのベランダ越しの視線を遮る目隠しパネルを取付けた、点に特徴がある。
ベランダ越しの視線を遮る目隠しパネルは、集合住宅のベランダに、隣室ベランダ空間との隔壁に対してほぼ直交する面を有し、隣室居住者からのベランダ越しの視線を遮る高さと幅の目隠しパネルを取付けて成る。
【０００７】
目隠しパネルは、隣室ベランダなどのベランダ越しからの視線を遮るパネル体であれば、その構造、取付け態様の如何を問うものではない。
例えば、本装置では、集合住宅のベランダに、隣室ベランダ空間との隔壁に対してほぼ直交する面を有し、隣室居住者からのベランダ越しの視線を遮る高さと幅の目隠しパネルを取付けることにより、構成される。
【０００８】
また、目隠しパネルは、各居住者の一戸当たりのベランダの一側もしくは両側に配置されれば良い。ベランダの一側に設ける場合には、各戸同じ側に配設される。
【０００９】
本装置の具体的な構造としては、例えば、目隠しパネルを、ベランダ空間に対して上下方向に延びる縦フレームと、左右方向に延びる横フレームと、これらのフレームによって囲まれた部分に取付けられるパネル体とによって構成し、この目隠しパネルを、隣室ベランダ空間との隔壁と一体になってＬ字型を形成するようにベランダに取付ける。
【００１０】
こうしたフレームとパネル体とから成る目隠しパネルは、前記隔壁を中心として２部屋間のベランダに跨るようにして取付けるようにしても良い。
フレームの固定手段としては、例えば、縦フレームの下端部をベランダ床面に固定する一方、上端部をベランダ天井面に固定し、下部もしくは中間部所定位置をベランダ手摺りに固定するのが望ましい。
【００１１】
目隠しパネルは、隣室ベランダ空間との隔壁に対してほぼ直交する主パネルと、この主パネルと隔壁前方端面との隙間部を遮蔽する副パネルとから成る、平面略T字状やY字状にすることもできる。
更に、目隠しパネルのパネル体は、通風可能で隣室ベランダ方向への視線を遮蔽するルーバータイプのパネル体を用いることもできる。
【発明の効果】
【００１２】
本発明は、次の効果を奏する。
ベランダに隣室居住者からのベランダ越しの視線を遮るため、例えば隣室ベランダに対してほぼ直交する面を持つ目隠しパネルを取付けたので、隣室居住者がベランダ越しに隣りのベランダ空間や居住空間を見通しにくくなり、隣室同士の居住者のプライバシーを保護することができる。
【００１３】
また、本発明によれば、パネル面によって建物外からの視線を遮ることができ、ベランダ隅部に取付けられたパネル面の後方に配置された機器類、例えば洗濯機や空調機器などを見えにくくし、建物の外観をすっきりとしたものにすることができるばかりでなく、風雨が直接これらの機器類に当たることがなくなって機器類を保護することができる。
【００１４】
請求項５から８に記載のフレームを有する目隠しパネルを用いることにより、既設集合住宅等のベランダに後付けで簡単に取付け可能な目隠し装置を提供できる。
【００１５】
請求項９記載の装置によれば、本装置が取り付けられる主としてベランダ空間隅部にも通風を確保することができる。
【発明を実施するための最良の形態】
【００１６】
以下、本発明の実施の形態について、図１から図８を参照しつつ詳説する。
図１は、本発明の一実施例に係る装置の概念構成図である。
図中符合１は、ベランダで、隔壁によって左右のベランダ空間に分けられている。２ａと２ｂは、隔壁２を構成する隔壁パネルと支持体である。
【００１７】
３はベランダの手摺り壁、４はこの手摺り壁３の上面に取り付けられた目隠し装置である。
目隠し装置４は、左右両端及び中間にフレーム体５（5R,5L,5C）を備え、このフレーム体５に目隠し用主パネル６を装着して成る。フレーム体５は、目隠し用主パネル６を支持するとともに手摺り壁３への取付けのための機能を有する。左右フレーム体5R,5Lと中間フレーム体5Cに取付けられた主パネル６のパネル面は、隔壁２に対して直交する。
【００１８】
中間フレーム5Cには上記隔壁２に向けて目隠し用副パネル７が取付けられている。この結果、目隠し用パネル６，７は、全体として平面略T字状を成す。
【００１９】
目隠し用のパネル６，７は、耐水性、耐候性を備えた材であれば、種々の材料を選択可能である。軽量で、加工が容易であり、さまざまな色を持つ合成樹脂製パネルが最適である。色付きパネルの場合、フロアーごとに色の異なるパネルを用いることにより、建物の外観美を向上させることができる。また、透光性を持つパネルを使用することもできる。
目隠し用パネル６，７は、ベランダ越しの視線を遮るに足る高さと幅に形成される。
フレーム体５の取付け方法は、別段制限されるものではなく、フレーム体５の基端部を図２に示すＬ字形ブラケット８や他の取付け金具を介して固定するのが最も一般的である。図２では、Ｌ字形ブラケット８には、ビスなどの締着具を隠すためのカバー９が取付けられている。
【００２０】
このようにして取付けられた目隠し装置４は、ベランダ空間のコーナー部が目隠し用主パネル６によって遮られているので、居住者はこの部分ではベランダ１から乗り出すことができない。また、隔壁２と手摺り壁３との隙間が目隠し用副パネル７によって遮蔽される。
したがって、居住者は、隣室のベランダ空間や居住空間からの視線が遮られ、プライバシーを保護することができる。
【００２１】
図３は、ベランダ手摺り１３が壁体でなく、柵体の場合の実施例を示す。特に、既設の集合住宅に後付けするのに最適な装置１４である。
図中符合15R、15Lは左右のフレーム体で、両フレーム体の上端部はベランダ空間の天井壁面10Aに所要の取付け金物などを介して固定され、また基端部はベランダ空間の床面10Bに同様に取付け金物などを介して固定されている。
【００２２】
フレーム体１５の中間部は、十字クランプなどのクランプ材１８を介して手摺り上枠に固定されている。クランプ材１８を境にフレーム体１５の上部には上部スクリーンパネル16aが、下部には下部スクリーンパネル16bがそれぞれ取付けられている。上部スクリーンパネル16aの上端と下部スクリーンパネル16bの下端、並びに両スクリーンパネル16a,16bの境部には横桟に相当する水平フレーム体15dが取付けられている。なお、図中符合15bは、フレーム体の補強用ブレースである。
【００２３】
図３の装置の作用は、図１の装置と同じであるが、柵体の部分にも下部スクリーンパネル16bが配置されているので、柵体でありながら、ベランダ手摺りの後方を外部視線から遮蔽することができるばかりでなく、風雨が当該部分のベランダ空間に入り込むのを防止できる。
【００２４】
図４から図６の実施例は、形態的には図１の実施例と同様であるが、隣室居住者とのベランダ空間を区切る隔壁２２がＲＣ壁になっている。また、目隠し装置２４は、目隠し用の主パネル２６に対し副パネル２７がフレーム体を介することなく主パネル２６の面上に直付けされている。主パネル２６を支持する左右フレーム体２５は、図１の実施例と同様にして手摺り壁２３の天端に取付け金具（図示せず）を介して固定されている。
副パネル２７の上端と下端は、図７に示す取付け金具２８によって支持されている。この取付け金具２８は、基端に主パネル２６の上端もしくは下端を受け入れ可能な溝部を有する頭部28aを備える。頭部28aからは、副パネル２７の上端もしくは下端を受入可能な溝部を有する脚部28bが一体的に延設され、脚部28bの先端がＲＣ隔壁２２の表面に固着した止め具28cに固定されている。
【００２５】
図４は、上記実施例の概念構成図、図５はベランダ外方から本装置２４を見た場合の概略斜視図、図６はベランダ内方から本装置２４を見た場合の概略斜視図（取付け金具を図示せず）である。
この実施例によれば、副パネル２７の下端下方に手摺り壁がない場合（手摺り壁が戸ごとに独立している場合）であっても目隠し装置を設置できる。
【００２６】
図８は、本発明の更に別の実施形態を示す概念構成図である。
この実施例の装置３４では、目隠しパネル３６が面材でなく、ルーバータイプ（角度をつけた細幅の遮蔽板を左右方向に連続させたもの）のパネルになっていて、通風を可能にする。各遮蔽板36aは、隣室のバルコニー空間や居住空間が見通せない角度に固定されている。隣室のバルコニー空間等を見通せない範囲であれば、傾斜角度を変更可能にする構造であっても良い。
本実施例によれば、バルコニー３１のコーナー部がパネル面によって通風を遮られることがなくなる。
【００２７】
以上の実施形態では、本発明に係る装置を隣室のベランダ空間に跨がるようにして設置する例について説明したが、本発明は必ずしもこれに限定されるものではなく、各戸のベランダの一側に配置するものであっても同様な作用効果を期待できる。また、集合住宅のベランダを例に説明したが、本発明の適用建築物は、必ずしもこれに限定されるものではなく、他の建築物のベランダにも適用可能である。さらに、ベランダには、バルコニーやテラスと称する居住空間外方への張出し空間を構成する建物構成部分が含まれる。
【図面の簡単な説明】
【００２８】
【図１】本発明の一実施例に係る目隠し装置の概念構成図。
【図２】フレーム体基端部の固定方法の一例を示す説明図。
【図３】柵状のベランダ手摺りに適用される目隠し装置の一例を示す正面図。
【図４】本発明の他の実施例に係る目隠し装置の概念構成図。
【図５】図４の装置をベランダ外方から見た場合の概略斜視図。
【図６】図４の装置をベランダ内方から見た場合の概略斜視図。
【図７】図４の目隠し装置に用いられる副パネル支持用の取付け金具の一例を示す側面図。
【図８】本発明の更に他の実施形態を示す装置の概略説明図。
【符号の説明】
【００２９】
１、２１、３１              バルコニー
２、２２                    隔壁
３、１３、２３              手摺り
４、１４、２４、３４      目隠し装置
５、１５、２５            フレーム体
６、７、１６、２６、３６  目隠し用パネル
７、２７                  目隠し用副パネル
８、２８                  取付け金具
【図１】
2006265829.tif 000003
【図２】
2006265829.tif 000004
【図３】
2006265829.tif 000005
【図４】
2006265829.tif 000006
【図５】
2006265829.tif 000007
【図６】
2006265829.tif 000008
【図７】
2006265829.tif 000009
【図８】
2006265829.tif 000010